(57)【要約】【課題】視認者の色覚の違いに応じて、視認者毎に適切な表示を表示部に行わせ、色覚上の個性に拘わらず全ての人が等しく機器や施設を利用可能にする。【課題を解決するための手段】情報表示装置１は、情報を表示する表示部１１０と、無線アクセスポイントを提供してユーザーの携帯端末３００と近距離通信を行う携帯端末通信部１５０と、携帯端末通信部１５０を介して携帯端末３００からのログイン要求を受け付けて自動ログイン処理を行うログイン処理部１０１と、ログイン処理に成功したログインユーザーについて、携帯端末３００から当該ログインユーザーの色覚情報３０１を取得する色覚情報取得部１０２と、ログインユーザーの色覚情報３０１に応じて、表示部１１０の画面表示の色調を決定し、当該画面表示の色調を当該決定した色調に変換する色調変換部１０４とを備える。【選択図】図２
2014078893.tif 000002
【特許請求の範囲】
【請求項１】
情報を表示する表示部と、
無線アクセスポイントを提供してユーザーの携帯端末と近距離通信を行う携帯端末通信部と、
前記携帯端末通信部を介して前記携帯端末からのログイン要求を受け付けてログイン処理を行うログイン処理部と、
ログイン処理に成功したログインユーザーについて、前記携帯端末から当該ログインユーザーの色覚情報を取得する色覚情報取得部と、
前記携帯端末から、前記表示部の画面表示の色調に関してユーザーの前記色覚情報の示す色覚特性を反映させるか否かを規定したポリシーを取得するポリシー取得部と、
前記ログインユーザーの色覚情報及びポリシーに応じて、前記表示部の画面表示の色調を決定し、当該画面表示の色調を当該決定した色調に変換する色調変換部と
を備えた情報表示装置。
【請求項２】
前記色調変換部は、前記ログインユーザーの前記ポリシーが、前記表示部の画面表示の色調に関してユーザーの色覚特性を反映させることを示す場合に、前記表示部の画面表示の色調を、前記ログインユーザーの色覚情報に対応付けられた色調とし、前記ポリシーが、前記表示部の画面表示の色調に関してユーザーの色覚特性を反映させないことを示す場合には、前記表示部の画面表示の色調を変更しない請求項１に記載の情報表示装置。
【請求項３】
前記色覚情報取得部は、複数のログインユーザーの携帯端末から、前記色覚情報を取得し、
前記ポリシー取得部は、複数のログインユーザーの携帯端末から、前記ポリシーを取得し、
前記色調変換部は、前記表示部の画面表示の色調を、前記複数のログインユーザーのそれぞれのポリシーが一致する場合に、当該ポリシーが一致する各ログインユーザーの色覚情報に対応付けられた色調とし、又は、各ログインユーザーの色覚情報に対応付けられた色調が同一である場合に、当該同一とされる色調とする請求項２に記載の情報表示装置。
【請求項４】
前記ポリシーが、ログインユーザーの色覚情報を前記色調変換部による前記色調変換に反映させることを求める第１ポリシー、ログインユーザーの色覚情報を前記色調変換部による色調変換に反映させないことを求める第２ポリシー、又は、ログインユーザーの色覚情報を前記色調変換部による色調変換に反映させるか否かを他のログインユーザーのポリシーに応じて調整することを求める第３ポリシーのいずれかであり、
前記色調変換部は、複数のログインユーザーのポリシーに前記第１ポリシーが含まれる場合、当該第１ポリシーを有するログインユーザー以外の他のログインユーザーが存在しない状態のとき、又は他のログインユーザーのポリシーが全て前記第２又は第３ポリシーであるときに、当該第１ポリシーを有するログインユーザーについての色覚情報を前記色調に反映させ、他のログインユーザーのポリシーにも前記第１ポリシーが含まれているときは、一般色覚者用の標準配色を前記色調として、前記色調変換を行う請求項２又は請求項３に記載の情報表示装置。
【請求項５】
前記色調変換部は、複数のログインユーザーのポリシーに前記第２ポリシーが含まれる場合、当該第２ポリシーを有するログインユーザーの色覚情報を前記色調に反映させず、他のログインユーザーのポリシーに従って前記色調を決定して、前記色調変換を行う請求項４に記載の情報表示装置。
【請求項６】
前記色調変換部は、複数のログインユーザーのポリシーに前記第３ポリシーが含まれる場合は、他のログインユーザーのポリシーに従って前記色調を決定し、当該第３ポリシーを有するログインユーザー以外の他のログインユーザーが存在しない場合に、当該第３ポリシーを有するログインユーザーについての色覚情報を前記色調変換に反映させる請求項４又は請求項５に記載の情報表示装置。
【請求項７】
前記ポリシーは、更に、他にログインユーザーが存在しないときのみ自己の色覚情報を前記色調変換部の前記色調に反映させることを求める第４ポリシーを有し、
前記色調変換部は、複数のログインユーザーのポリシーに前記第４ポリシーが含まれる場合は、当該第４ポリシーを有するログインユーザー以外の他のログインユーザーが存在しない状態のときにのみ、当該第４ポリシーを有するログインユーザーについての色覚情報を前記色調変換に反映させる請求項４乃至請求項６のいずれかに記載の情報表示装置。
【請求項８】
前記ポリシーは、更に、複数のログインユーザーの全ての色覚情報が一致するときのみ自己の色覚情報を前記色調変換部の前記色調に反映させることを求める第５ポリシーを有し、
前記色調変換部は、複数のログインユーザーのポリシーに前記第５ポリシーが含まれる場合は、複数のログインユーザーの全ての色覚情報が一致するとき、又は他のログインユーザーが存在しないときに、当該第５ポリシーを有するログインユーザーについての色覚情報を前記色調変換に反映させる請求項４乃至請求項７のいずれかに記載の情報表示装置。
【発明の詳細な説明】
【技術分野】
【０００１】
本発明は、情報表示装置に関し、特に、ユーザーの色覚特性に応じて表示部による表示を制御する技術に関する。
【背景技術】
【０００２】
技術革新に伴い、多くのものが白黒などの単色彩による表現から多色彩による表現に変わってきている。電子機器のパイロットランプ、携帯電話やパソコン、ＡＴＭや自動券売機のディスプレイ等はカラーで表現されることが多い。画像形成装置に備えられる表示装置もカラー化が進み、カラー表現力によって利用者の利便性が高められている。
【０００３】
しかしながら、公共の場に設置されている例えばデジタルサイネージのような表示装置等では、その多くが一般的な色覚者にとっての見え方を考えてカラー表示される。このため、非一般色覚者にとっては、色の違いによって他との違いを識別する必要のある事項、例えば、ディスプレイに表示される地下鉄駅の路線の区別、ディスプレイ画面に色を異ならせて表示される各画像等について、その識別が困難という問題がある。
【０００４】
近年では、色覚上の個性に拘わらず全ての人が等しく機器や施設を利用できるようにするためのカラーユニバーサルデザイン（又はカラーバリアフリー）の必要性が提唱され、各視認者の色覚特性に応じた表示が求められている。例えば、下記特許文献１には、一般色覚者にとっての色味の変化を抑えつつ、非一般色覚者にとっての色の識別性を向上させる色信号処理装置が示されている。
【先行技術文献】
【特許文献】
【０００５】
【特許文献１】特開２０１０−１８３４８７号公報
【発明の概要】
【発明が解決しようとする課題】
【０００６】
上述したように、一般色覚者のみを前提とした表示は、当該表示が見え難い非一般色覚者に対する考慮に欠ける。一方、非一般色覚者に適合した表現を一般色覚者に対しても適用するのは、一般色覚者に対する表現上の自由度が制限されるために好ましくない。このため、各視認者の色覚の違いに応じた適切な表現ができることが好ましい。上記特許文献１に示される技術は、各視認者の色覚の違いに応じて、視認者毎に異なる表示を行うことまでは実現できていない。
【０００７】
本発明は、上記問題を解決するためになされたもので、視認者の色覚の違いに応じて、視認者毎に適切な表示を表示部に行わせることができ、色覚上の個性に拘わらず全ての人が等しく機器や施設を利用できるようにすることを目的とする。
【課題を解決するための手段】
【０００８】
請求項１に記載の発明は、情報を表示する表示部と、
無線アクセスポイントを提供してユーザーの携帯端末と近距離通信を行う携帯端末通信部と、
前記携帯端末通信部を介して前記携帯端末からのログイン要求を受け付けてログイン処理を行うログイン処理部と、
ログイン処理に成功したログインユーザーについて、前記携帯端末から当該ログインユーザーの色覚情報を取得する色覚情報取得部と、
前記携帯端末から、前記表示部の画面表示の色調に関してユーザーの前記色覚情報の示す色覚特性を反映させるか否かを規定したポリシーを取得するポリシー取得部と、
前記ログインユーザーの色覚情報及びポリシーに応じて、前記表示部の画面表示の色調を決定し、当該画面表示の色調を当該決定した色調に変換する色調変換部と
を備えた情報表示装置である。
【０００９】
この発明では、携帯端末を用いて無線アクセスポイントにアクセスしたログインユーザーの色覚情報が色覚情報取得部により携帯端末から取得され、表示部に表示される画面表示の色調が、色調変換部により、当該ログインユーザーの色覚情報及びポリシーに応じて決定される。これにより、本発明によれば、表示部による表示内容が、当該ログインユーザーの色覚情報に応じて変更されるので、視認者としての各ユーザーの色覚の違いに対応して、ユーザー毎にとって視認性に優れた適切な表示を行うことが可能になる。また、本発明によれば、当該色覚情報に応じた色調の変更を行うか否かをログインユーザーの意思に応じて選択することが可能となる。
【００１０】
また、請求項２に記載の発明は、請求項１に記載の情報表示装置であって、前記色調変換部は、前記ログインユーザーの前記ポリシーが、前記表示部の画面表示の色調に関してユーザーの色覚特性を反映させることを示す場合に、前記表示部の画面表示の色調を、前記ログインユーザーの色覚情報に対応付けられた色調とし、前記ポリシーが、前記表示部の画面表示の色調に関してユーザーの色覚特性を反映させないことを示す場合には、前記表示部の画面表示の色調を変更しないものである。
【００１１】
本発明によれば、ログインユーザーの意思に従って、表示部の画面表示の色調を、ログインユーザーの色覚情報に対応付けられた色調に変更でき、一方、ログインユーザーが、表示部の画面表示の色調を自己の色覚情報に対応付けられた色調に変更したくない場合には、表示部の画面表示の色調を変更しないものとできる。
【００１２】
また、請求項３に記載の発明は、請求項２に記載の情報表示装置であって、前記色覚情報取得部は、複数のログインユーザーの携帯端末から、前記色覚情報を取得し、
前記ポリシー取得部は、複数のログインユーザーの携帯端末から、前記ポリシーを取得し、
前記色調変換部は、前記表示部の画面表示の色調を、前記複数のログインユーザーのそれぞれのポリシーが一致する場合に、当該ポリシーが一致する各ログインユーザーの色覚情報に対応付けられた色調とし、又は、各ログインユーザーの色覚情報に対応付けられた色調が同一である場合に、当該同一とされる色調とするものである。
【００１３】
この発明によれば、ログインユーザーが複数の場合に、ログインユーザー全員の色覚情報及びポリシーが考慮され、表示部の画面表示の色調を各ログインユーザーの意向に沿ったものにすることができる。
【００１４】
また、請求項４に記載の発明は、請求項２又は請求項３に記載の情報表示装置であって、前記ポリシーが、ログインユーザーの色覚情報を前記色調変換部による前記色調変換に反映させることを求める第１ポリシー、ログインユーザーの色覚情報を前記色調変換部による色調変換に反映させないことを求める第２ポリシー、又は、ログインユーザーの色覚情報を前記色調変換部による色調変換に反映させるか否かを他のログインユーザーのポリシーに応じて調整することを求める第３ポリシーのいずれかであり、
前記色調変換部は、複数のログインユーザーのポリシーに前記第１ポリシーが含まれる場合、当該第１ポリシーを有するログインユーザー以外の他のログインユーザーが存在しない状態のとき、又は他のログインユーザーのポリシーが全て前記第２又は第３ポリシーであるときに、当該第１ポリシーを有するログインユーザーについての色覚情報を前記色調に反映させ、他のログインユーザーのポリシーにも前記第１ポリシーが含まれているときは、一般色覚者用の標準配色を前記色調として、前記色調変換を行うものである。
【００１５】
また、請求項５に記載の発明は、請求項４に記載の情報表示装置であって、前記色調変換部は、複数のログインユーザーのポリシーに前記第２ポリシーが含まれる場合、当該第２ポリシーを有するログインユーザーの色覚情報を前記色調に反映させず、他のログインユーザーのポリシーに従って前記色調を決定して、前記色調変換を行うものである。
【００１６】
また、請求項６に記載の発明は、請求項４又は請求項５に記載の情報表示装置であって、前記色調変換部は、複数のログインユーザーのポリシーに前記第３ポリシーが含まれる場合は、他のログインユーザーのポリシーに従って前記色調を決定し、当該第３ポリシーを有するログインユーザー以外の他のログインユーザーが存在しない場合に、当該第３ポリシーを有するログインユーザーについての色覚情報を前記色調変換に反映させるものである。
【００１７】
また、請求項７に記載の発明は、請求項４乃至請求項６のいずれかに記載の情報表示装置であって、前記ポリシーは、更に、他にログインユーザーが存在しないときのみ自己の色覚情報を前記色調変換部の前記色調に反映させることを求める第４ポリシーを有し、
前記色調変換部は、複数のログインユーザーのポリシーに前記第４ポリシーが含まれる場合は、当該第４ポリシーを有するログインユーザー以外の他のログインユーザーが存在しない状態のときにのみ、当該第４ポリシーを有するログインユーザーについての色覚情報を前記色調変換に反映させるものである。
【００１８】
また、請求項８に記載の発明は、請求項４乃至請求項７のいずれかに記載の情報表示装置であって、前記ポリシーは、更に、複数のログインユーザーの全ての色覚情報が一致するときのみ自己の色覚情報を前記色調変換部の前記色調に反映させることを求める第５ポリシーを有し、
前記色調変換部は、複数のログインユーザーのポリシーに前記第５ポリシーが含まれる場合は、複数のログインユーザーの全ての色覚情報が一致するとき、又は他のログインユーザーが存在しないときに、当該第５ポリシーを有するログインユーザーについての色覚情報を前記色調変換に反映させるものである。
【００１９】
これらの発明によれば、ログインユーザーが複数の場合に、各ログインユーザーは、自身の意思に応じて、自己の色覚情報に応じて表示部の画面表示の色調を変更させるか否かを調整することが可能になると共に、色調変換部は、ログインユーザー全員の色覚情報及びポリシーを考慮して、表示部の画面表示の色調を各ログインユーザーの意向に沿ったものにすることが可能になる。
【発明の効果】
【００２０】
本発明によれば、視認者の色覚の違いに応じて、視認者毎に適切な表示を表示部に行わせることができ、色覚上の個性に拘わらず全ての人が等しく機器や施設を利用できるようになる。
【図面の簡単な説明】
【００２１】
【図１】本発明の一実施形態に係る情報表示装置を含む情報表示システムの構成を示すブロック図である。
【図２】情報表示装置の主要内部構成を概略的に示す機能ブロック図である。
【図３】情報表示装置による表示処理を示すフローチャートである。
【図４】各ユーザーの色覚情報及びポリシーに基づいて色調を決定するアルゴリズム例を示す図である。
【発明を実施するための形態】
【００２２】
以下、本発明の一実施形態に係る情報表示装置について図面を参照して説明する。図１は、本発明の一実施形態に係る情報表示装置を含む情報表示システムの構成を示すブロック図である。
【００２３】
図１に示す情報表示システムでは、情報表示装置１がネットワーク２００に接続されており、ネットワーク２００を介して、認証サーバー２０１及び情報サーバー２０２と接続されている。
【００２４】
情報表示装置１は、例えば、ショッピング施設、鉄道駅、空港、映画館等に設置されるデジタルサイネージ装置である。情報表示装置１は、液晶表示パネル、プラズマディスプレイパネル、有機ＥＬパネル等からなる表示部１１０を備え、当該表示部１１０に、商品やサービスの広告や宣伝といった公衆への情報提示を行う。情報サーバー２０２は、店舗情報、商品情報、イベント情報、交通情報といった情報表示装置１が提供する公衆向けの各種情報(表示対象とされるドキュメント、キャラクター、画像データ等)を保存する。
【００２５】
認証サーバー２０１は、正規ユーザーの登録情報（ユーザーＩＤやパスワード等）を管理し、その登録情報を用いて、情報表示装置１にログインを要求するユーザーの認証処理を行う。
【００２６】
情報サーバー２０２は、情報表示装置１に対して、当該各種情報を送信し、情報表示装置１は当該各種情報を受信して表示する。
【００２７】
携帯端末３００は、例えば、携帯電話、スマートフォン、タブレットＰＣ等の通信機器である。
【００２８】
また、情報表示装置１は、Bluetooth（登録商標）のホットスポット（登録商標）等の無線アクセスポイントを提供する。携帯端末３００は、無線アクセスポイントの有効範囲内に入ると、情報表示装置１にログイン要求を送信する。情報表示装置１では、認証サーバー２０１のユーザー認証により、当該携帯端末３００を所持するユーザーについて、情報表示装置１にログインが認められる。以下、情報表示装置１にログインが認められ、ログインしているユーザーをログインユーザーという。
【００２９】
携帯端末３００には、個人の色覚を示す色覚情報３０１が登録されている。情報表示装置１は、携帯端末３００からログインユーザーの色覚情報３０１を取得して、当該色覚情報３０１に応じて、表示部１１０の表示画面をログインユーザーにとって認識しやすい色域に変換した色調にして表示する。情報表示装置１は、携帯端末３００に色覚情報３０１が登録されていない、又は色覚情報３０１が一般的色覚として登録されている場合には、色変換は行われずに表示部１１０の画面表示は標準的な色調となる。
【００３０】
上記色覚(色覚特性)は、例えば、日本眼科学会の類型や、ＮＰＯ法人カラーユニバーサルデザイン機構（ＣＵＤＯ）推奨の類型をメニュー化して選択させる方式により、情報表示装置１の製造者、メンテナンス者、又は管理者等により、ユーザー毎に設定され、色覚情報として、情報サーバー２０２に予め保存される。
【００３１】
さらには、色覚の調整手段として、前記いずれかの類型から選択されたタイプにおいて弁別が難しい典型的な配色（隣接する２色の組み合わせ）のパターンをいくつか表示させながら、Ｌ、Ｍ、Ｓ錐体の感度パラメータを微調整する方法で個人の色覚特性を特定する方式を採用してもよい。以上のように、典型的類型からの選択に加え、テストパターンによる微調整によって極めて簡便な手順で個人の色覚特性を特定する。
【００３２】
さらに、携帯端末３００には、上記色覚情報３０１と共に、ポリシー３０２が登録されている。当該ポリシーは、情報表示装置１の表示部１１０の画面表示の色調に関して、ユーザーの上記色覚情報３０１が示す色覚特性を反映させるか否かを規定した情報である。
【００３３】
図２は、情報表示装置１の内部構成の概略を示すブロック図である。情報表示装置１は、装置各部の機能を制御する制御ユニット１０と、上記の表示部１１０と、人数検出部１３０と、携帯端末通信部１５０と、記憶部１７０と、データ送受信部１８０と、を備える。
【００３４】
人数検出部１３０は、情報表示装置１の周辺における予め定められた検知範囲に位置する人４を検知し、当該検知結果から情報表示装置１の周辺に存在すると想定される人数を検出する。人数検出部１３０は、例えば赤外線センサー又はＣＣＤカメラと、解析処理部とを備える。人数検出部１３０は、例えば赤外線センサーを備える場合、検知範囲内で人を検知する度に、検知信号を解析処理部に出力する。解析処理部は、予め定められた時間内における当該検知信号数をカウントし、当該カウント結果が示す数値を、情報表示装置１の周辺に存在する人４の人数として算出する。また、人数検出部１３０は、例えばＣＣＤカメラを備える場合、予め定められた一定時間毎に検知範囲を撮影し、撮影画像を解析処理部に出力する。解析処理部は、当該撮影画像から、パターンマッチング等により人を示す画像を検出し、検出した画像数を、情報表示装置１の周辺に存在する人４の人数として算出する。人数検出部１３０を備えることにより、ユーザーによるログインの有無にかかわらず、何人が情報表示装置１を見ているかを検出できる。なお、上記解析処理部は、制御ユニット１０に備えられていてもよい。
【００３５】
携帯端末通信部１５０は、Bluetooth（登録商標）等の通信デバイスを有し、ホットスポット（登録商標）を提供する。携帯端末通信部１５０は、携帯端末３００による当該ホットスポット（登録商標）を通じた情報表示装置１へのアクセスを受け付ける。
【００３６】
データ送受信部１８０は、イントラネット又はＬＡＮ（Local Area Network）を介して、ネットワーク接続されている情報サーバー２０２等から表示部１１０に表示する上記の各種情報等を受信するものである。
【００３７】
制御ユニット１０は、ＣＰＵと、表示部１１０を制御する制御プログラム等、装置各部の動作プログラムを記憶したＲＯＭ、画像データ等を一時的に格納すると共に作業領域として機能するＲＡＭ、各種制御用パラメータの設定値を記憶する不揮発性メモリ等のメモリを備え、ＲＯＭに記憶された動作プログラムが当該ＣＰＵにより実行されることにより、装置各部の動作を司る。
【００３８】
また、制御ユニット１０は、制御部１００と、ログイン処理部１０１と、色覚情報取得部１０２と、ポリシー取得部１０３と、色調変換部１０４として機能する。
【００３９】
例えば、制御ユニット１０は、記憶部１７０に記憶されている色調変換プログラムに従って動作することで、上記ログイン処理部１０１と、色覚情報取得部１０２と、ポリシー取得部１０３と、色調変換部１０４と、制御部１００(制御部１００については、後述する色覚特性に応じた配色変更処理に関する機能部分)として機能する。
【００４０】
また、制御ユニット１０は、ハード的な回路により、上記ログイン処理部１０１と、色覚情報取得部１０２と、ポリシー取得部１０３と、色調変換部１０４と、制御部１００(制御部１００については、後述する色覚特性に応じた配色変更処理に関する機能部分)を備えるものとしてもよい。
【００４１】
制御部１００は、情報表示装置１に備えられる各機構を制御し、情報表示装置１の全体的な動作制御を司る。また、制御部１００は、後述する色覚特性に応じた配色変更処理時に必要となる各動作の制御を行う。
【００４２】
ログイン処理部１０１は、携帯端末通信部１５０を介して携帯端末３００からログイン要求を受け付け、ログイン処理を開始する。このログイン処理は、携帯端末３００が情報表示装置１の無線アクセスポイントの有効範囲内に入って情報表示装置１に、ログイン要求と、ユーザーＩＤ及びパスワードを組み合わせてなるログイン情報とを送信し、これをログイン処理部１０１が、携帯端末通信部１５０を介して受信したときに開始される。
【００４３】
ログイン処理部１０１は、携帯端末３００から上記ログイン情報を受け付けると、受け付けたログイン情報を認証サーバー２０１に送信する。認証サーバー２０１は、当該送信されてきたログイン情報を用いてユーザー認証を行い、ユーザー認証が成立すると、情報表示装置１に対して認証成立を示す認証成立情報を送信する。情報表示装置１では、ログイン処理部１０１が、当該認証成立情報を、データ送受信部１８０を介して、認証サーバー２０１から受信する。ログイン処理とは、ログイン処理部１０１による上記ログイン情報の受付から認証成立情報の受信に到るまでに必要な処理をいう。
【００４４】
上述したように、情報表示装置１がBluetooth（登録商標）のホットスポット（登録商標）を提供するため、携帯端末３００が情報表示装置１の通信圏内に入ると、携帯端末３００が情報表示装置１にアクセスし、ユーザーＩＤ及びパスワード等からなるログイン情報を情報表示装置１に送信する。情報表示装置１のログイン処理部１０１は、携帯端末通信部１５０を介して当該ログイン情報を受信し、上記ログイン処理を開始する。
【００４５】
色覚情報取得部１０２は、ログイン処理に成功したログインユーザーについて、携帯端末３００からログインユーザーの色覚情報３０１を取得する。
【００４６】
ポリシー取得部１０３は、ログイン処理に成功したログインユーザーについて、携帯端末３００からログインユーザーのポリシー３０２を取得する。
【００４７】
例えば、携帯端末３００による上記ログイン後、色覚情報取得部１０２は、携帯端末３００から当該ログインユーザーの色覚情報３０１を取得し、ポリシー取得部１０３は、携帯端末３００から当該ログインユーザーのポリシー３０２を取得する。
【００４８】
なお、ログイン情報の情報表示装置１への送信時に、携帯端末３００から、当該ログイン情報と共に、携帯端末３００の所有者であるユーザーの色覚情報と上記ポリシーとが送信され、色覚情報取得部１０２は、データ送受信部１８０を介して、当該色覚情報を受信し、ポリシー取得部１０３は、データ送受信部１８０を介して、当該ポリシーを受信するようにしてもよい。
【００４９】
色調変換部１０４は、ログインユーザーの色覚情報及びポリシーに基づいて表示部１１０の画面表示の色調を決定する。色調変換部１０４は、例えば、複数の色覚情報と、各色覚情報に対応付けられたそれぞれの色調を記憶し、ログインユーザーの色覚情報に対応する色調を決定する。色調変換部１０４は、例えば、情報表示装置１の前にいる人数がログインユーザー唯１人の場合には、当該ログインユーザーの色覚情報及びポリシーにのみ基づいて、当該色覚情報に対応する色調を決定する。一方、色調変換部１０４は、情報表示装置１の前に複数のログインユーザーがいる場合には、後述のアルゴリズムに従って、全ログインユーザーの色覚情報及びポリシーを反映させて、表示部１１０の画面表示の色調を決定する。
【００５０】
色調変換部１０４は、当該決定した色調に、表示部１１０による表示対象とされる上記各種情報が示す画像データを変換する。色調変換部１０４は、複数の色調と、各色調に対応付けられた配色変更を行うためのマトリクス１０４１及び変換式１０４２を色調毎に記憶している。色調変換部１０４は、上記決定された色調に応じて、当該色調に対応付けられたマトリクス１０４１及び変換式１０４２の少なくとも一方を用いて、表示部１１０により表示対象とされる画像の色調を変更する処理を行う。
【００５１】
マトリクス１０４１は、表示部１１０に表示する操作ボタン等のオブジェクトの配色を決定するために用いられる。すなわち、マトリクス１０４１は、表示部１１０の表示画面に表示される各操作ボタン(表示オブジェクト)の配色が、色覚特性の類型毎に設定され、上記色調ごとに定義されている。色調変換部１０４は、表示部１１０に表示する操作ボタン等の表示オブジェクトについて予め定められている標準色(一般色覚者向けの配色)を、上記色調に対応付けられているマトリクス１０４１の示す配色に変更する。
【００５２】
変換式１０４２は、一般色覚者用の標準配色を自動変換して配色を決定するために用いられる色変換式である。変換式１０４２は、色覚特性の類型毎に設定され、複数の色調毎にそれぞれの変換式１０４２が用意されている。変換式１０４２は、例えば、画像読取部５による読取で生成した画像データによって表示すべき内容、及び配色が逐次変更されるプレビュー画像についての配色変更に用いられる。色調変換部１０４は、上記読取画像データ、プレビューデータが示す配色を、上記変換式１０４２を用いて色変換することで、当該色調に対応する配色に変更する。
【００５３】
なお、標準配色の自動変換は既知の変換式、例えば、特開２０１０−１８３４８７号公報、特開２０１１−１８２００６号公報等に開示された変換式を計数として用いて行うことができる。
【００５４】
次に、情報表示装置１による表示処理を説明する。図３は、情報表示装置１による表示処理を示すフローチャートである。
【００５５】
人数検出部１３０は、情報表示装置１の周辺における上記検知範囲(この実施形態では、無線アクセスポイントの有効範囲と同一範囲とする)内に存在する人を検出して、情報表示装置１の前にいる人数を検出する（Ｓ１）。
【００５６】
情報表示装置１の周辺にいる人が、情報表示装置１と通信可能な携帯端末３００を携帯している場合、携帯端末３００は、情報表示装置１に対して上記ログイン要求を行う。
【００５７】
情報表示装置１において、そのログイン処理部１０１が、携帯端末通信部１５０を介して、当該ログイン要求を受けとけると（Ｓ２でＹＥＳ）、上述したログイン処理を開始する（Ｓ３）。
【００５８】
上記ログイン処理において、ログインが許可された携帯端末３００があるとされた場合(Ｓ４でＹＥＳ)、当該携帯端末３００に対しては、色覚情報取得部１０２が、携帯端末通信部１５０を介してアクセスし、当該携帯端末３００から色覚情報に登録されている当該ログインユーザーの色覚情報３０１を要求する（Ｓ５）。
【００５９】
色覚情報取得部１０２が携帯端末３００からログインユーザーの色覚情報３０１を取得できた場合（Ｓ６でＹＥＳ）、ポリシー取得部１０３は、携帯端末通信部１５０を介して当該携帯端末３００にアクセスし、当該携帯端末３００に登録されたログインユーザーのポリシー３０２を取得する（Ｓ７）。なお、ここで、色覚情報取得部１０２は、携帯端末３００からポリシー３０２を取得できなければ、そのログインユーザーに対してデフォルトのポリシー（例えば、個人の色覚特性を表示部１１０の画面表示に反映させない旨）を適用する。
【００６０】
一方、色覚情報取得部１０２が携帯端末３００からログインユーザーの色覚情報３０１を取得できなかった場合（Ｓ６でＮＯ）、ログイン要求をしない携帯端末３００のユーザーが存在する場合（Ｓ２でＮＯ）、ログインが許可されなかったユーザーが存在する場合（Ｓ４でＮＯ）については、色調変換部１０４は、当該ログインユーザーを色覚情報が未登録のユーザーとして、ユーザー数をカウントする（Ｓ８）。なお、色調変換部１０４は、Ｓ２でＮＯとして色覚不明のユーザーをカウントするのは、人数検出部１３０により検出された人数が、ログイン要求をしてきた携帯端末３００の台数よりも多いときであり、当該人数と台数との差を、色覚未登録(色覚不明)のユーザーの数としてカウントする。
【００６１】
なお、Ｓ２乃至Ｓ８の処理は、ログイン要求を行ってきた携帯端末３００(及び当該携帯端末３００を所有するユーザー)の全てに対して行われる。
【００６２】
ログイン要求を行ってきた携帯端末３００(当該携帯端末３００を所有するユーザー)の全てに対してＳ２乃至Ｓ８の処理が終了すると、色調変換部１０４は、全ログインユーザーの色覚情報３０１及びポリシー３０２に基づいて、表示部１１０の画面表示の色調を決定する(Ｓ９)。
【００６３】
そして、色調変換部１０４は、当該決定した色調に対応付けられた上記マトリクス１０４１、変換式１０４２のいずれか又は両方を用いて、表示部１１０での表示対象とする画像の色調を変更する(Ｓ１０)。
【００６４】
Ｓ９における色調決定について説明する。図４は、各ユーザーの色覚情報及びポリシーに基づいて色調を決定するアルゴリズム例を示す図である。
【００６５】
表示部１１０の画面表示の色調は、例えば、次のアルゴリズムに従って色調変換部１０４により決定される。図４は、各ユーザーの色覚情報及びポリシー３０２に基づいて色調を決定するアルゴリズム例を示す図である。
【００６６】
携帯端末３００へのポリシー３０２の登録は、例えば、情報表示装置１の表示部１１０の画面表示の色調に個人の色覚特性を反映させるか否かについて、次のような選択肢を各ユーザーが選択することで行うことができる。なお、ユーザーによる当該ポリシー３０２の登録は、携帯端末３００の操作部を操作することで行われる。ポリシー３０２の設定例としては、例えば以下に示す３態様がある。
【００６７】
＜態様１＞
選択肢として、｛１．反映させたい、２．反映させたくない、３．こだわらない｝が用意され、ユーザーにより選択されたいずれか１つが、ポリシー３０２として設定される。
【００６８】
上記「反映させたい」は、第１ポリシーとして、色覚情報に対応付けられている色調を情報表示装置１の表示部１１０による表示に反映させる要求を示す。
【００６９】
上記「反映させたくない」は、第２ポリシーとして、色覚情報に対応付けられている色調を情報表示装置１の表示部１１０による表示に反映させない要求を示す。
【００７０】
上記「こだわらない」は、第３ポリシーとして、色覚情報に対応付けられている色調を情報表示装置１の表示部１１０による表示に反映させるか否かは、他のユーザーのポリシーを優先し、他のユーザーによるポリシーがない場合に、自己の色覚情報に応じた色調の上記反映を行うという要求を示す。
【００７１】
上記のように、情報表示装置１は、情報表示装置１の周囲に存在する複数ユーザーの色覚情報及びポリシーを取得するため、色調変換部１０４は、当該各ユーザーの色覚情報及びポリシーに基づいて、以下のようにして、表示部１１０に表示する画像の色調を決定する。
【００７２】
例えば、ログインユーザーＡがポリシー「反映させたい」を設定している場合において、そのログインユーザーＡのみが情報表示装置１にログインしているとき、色調変換部１０４は、上記表示部１１０の画像の色調を、当該ログインユーザーＡの色覚情報に対応付けられた色調に決定する。
【００７３】
一方、あるログインユーザーＡがポリシー「反映させたい」を設定している場合であっても、複数のユーザーが情報表示装置１にログインしているときは、(i)ログインユーザーＡを含み、ポリシー「反映させたい」を設定している全てのログインユーザーの色覚情報が示す色覚特性が一致する、又は、(ii)ログインユーザーＡ以外の他の全てのログインユーザーが「こだわらない」又は「反映させたくない」を選択している、のいずれかのときに、色調変換部１０４は、上記表示部１１０の画像の色調を、当該ログインユーザーＡの色覚情報に対応付けられた色調に決定する。
【００７４】
また、上記(i)(ii)以外の場合には、色調変換部１０４は、上記表示部１１０の画像の色調を、当該ログインユーザーＡの色覚情報に対応付けられた色調にはしない。この場合は、色調変換部１０４は、例えば、通常表示時の配色としての一般色覚者用の標準配色を、上記表示部１１０の画像の色調とする。なお、色覚情報が未登録のログインユーザー、及びログインしていないユーザーについては、ポリシー「こだわらない」を選択しているログインユーザーとみなすようにしてもよい。なお、各ログインユーザーの色覚情報が異なる場合であっても、色調変換部１０４は、これら色覚情報の示す各色覚特性に対応付けられている色調が同一であれば、上記(i)における色覚特性が一致と判断するようにしてもよい。
【００７５】
また、例えば、ログインユーザーＡがポリシー「反映させたくない」を設定している場合において、このログインユーザーＡのみが情報表示装置１にログインしているとき、色調変換部１０４は、ログインユーザーＡの色覚情報が示す色覚特性を上記表示部１１０の画像の色調には反映させない。これは「反映させたくない」というログインユーザーＡの意思を尊重したものである。一方、(iii)当該ログインユーザーＡ以外のログインユーザーがいる場合は、色調変換部１０４は、他のログインユーザーのポリシーに従って、上記表示部１１０の画像の色調を決定する。例えば、単独の他のログインユーザーが、ポリシー「反映させたい」を設定している場合、色調変換部１０４は、当該他のログインユーザーの色覚情報に対応付けられている色調を優先して、上記表示部１１０の画像の色調とする。
【００７６】
また、例えば、ログインユーザーＡがポリシー「こだわらない」を設定している場合において、ログインユーザーＡのみが情報表示装置１にログインしているとき、色調変換部１０４は、上記表示部１１０の画像の色調を、当該ログインユーザーＡの色覚情報に対応付けられた色調に決定する。一方、当該ログインユーザー以外に複数のログインユーザーがログインしている場合は、上記(iii)と同様に、色調変換部１０４は、他のログインユーザーのポリシーに従って、上記表示部１１０の画像の色調を決定する。
【００７７】
＜態様２＞
選択肢として、｛１．反映させたい、２．反映させたくない、３．こだわらない、４．独りのときだけ反映させたい｝が用意され、ユーザーにより選択されたいずれか１つが、ポリシー３０２として設定される。１．〜３．は態様１と同様である。
【００７８】
上記ポリシー「独りのときだけ反映させたい」は、第４ポリシーとして、情報表示装置１の周辺で上記人数検出部１３０により検出された人が自分一人だけの場合に、自己の色覚情報に対応付けられている色調を上記表示部１１０による表示に反映させ、人数検出部１３０により情報表示装置１の周辺で他にも人が検出されている場合には、自己の色覚情報に対応付けられている色調を、上記表示部１１０による表示に反映させない要求を示す。
【００７９】
例えば、あるログインユーザーＡがポリシー「独りのときだけ反映させたい」を設定している場合において、ログインユーザーＡのみが情報表示装置１にログインしているとき、色調変換部１０４は、上記表示部１１０の画像の色調を、当該ログインユーザーＡの色覚情報に対応付けられた色調に決定する。一方、当該ログインユーザー以外に複数のログインユーザーがログインしている場合は、色調変換部１０４は、上記表示部１１０の画像の色調に、ログインユーザーＡの色覚情報に対応付けられた色調を反映させず、上記(iii)と同様に、他のログインユーザーのポリシーに従って、上記表示部１１０の画像の色調を決定する。但し、この場合、ログインユーザーＡ以外の他の全てのログインユーザーがポリシー「こだわらない」を選択している場合であっても、色調変換部１０４は、上記表示部１１０の画像の色調に、ログインユーザーＡの色覚情報に対応付けられた色調を反映させない。
【００８０】
＜態様３＞
選択肢として、｛１．反映させたい、２．反映させたくない、３．こだわらない、４．独りのときだけ反映させたい、５．同一色覚者のみのときだけ反映させたい｝が用意され、ユーザーにより選択されたいずれか１つが、ポリシー３０２として設定される。１．〜４．は態様２と同様である。
【００８１】
上記ポリシー「同一色覚者のみのときだけ反映させたい」は、第５ポリシーとして、他のログインユーザーが存在する場合には、当該他のユーザーの色覚情報の示す色覚特性と、自己の色覚情報の示す色覚特性とが同一であるときに、自己の色覚情報に対応付けられている色調を、上記表示部１１０による表示に反映させる要求を示す。
【００８２】
例えば、あるログインユーザーＡがポリシー「同一色覚者のみのときだけ反映させたい」を設定している場合において、ログインユーザーＡのみが情報表示装置１にログインしているときは、色調変換部１０４は、上記表示部１１０の画像の色調を、当該ログインユーザーＡの色覚情報に対応付けられた色調に決定する。
【００８３】
一方、他のログインユーザーが存在する場合は、(a)他のログインユーザーの全てがポリシー「反映させたい」又はポリシー「同一色覚者のみのときだけ反映させたい」を選択している場合であって、ログインユーザーＡを含み、これらログインユーザーの色覚情報の示す色覚特性と、自己の色覚情報の示す色覚特性が同一である場合、又は(b)ログインユーザーＡ以外の他のログインユーザーの全てがポリシー「こだわらない」を設定している場合には、上記表示部１１０の画像の色調を、当該ログインユーザーＡの色覚情報に対応付けられた色調に決定する。なお、各ログインユーザーの色覚情報が異なる場合であっても、色調変換部１０４は、これら色覚情報の示す各色覚特性に対応付けられている色調が同一であれば、上記(a)における色覚特性が一致と判断するようにしてもよい。上記(a)(b)以外の場合は、色調変換部１０４は、上記(iii)と同様に、他のログインユーザーのポリシーに従って、上記表示部１１０の画像の色調を決定する。また、色覚情報が未登録のユーザーについては、ポリシー「こだわらない」を選択しているものとみなす。なお、色覚情報が未登録のログインユーザー、及びログインしていないユーザーについては、ポリシー「こだわらない」を選択しているログインユーザーとみなすようにしてもよい。
【００８４】
なお、この実施形態では、ログインユーザーＡの視点から、情報表示装置１の全ユーザーのポリシーに基づく表示部１１０による表示時の色調設定を説明しているが、他のユーザーが情報表示装置１にログインした場合も、上述したログインユーザーＡに対する色調設定と同様の色調設定が行われる。
【００８５】
このように、本実施形態によれば、携帯端末３００を用いて無線アクセスポイントにアクセスしたログインユーザーの色覚情報３０１が携帯端末３００から取得され、表示部１１０における画面表示の色調が、ログインユーザーの色覚情報３０１に応じて変更される。これにより、本実施形態に係る情報表示装置１は、表示部１１０の画面表示において、視認者としての各ユーザーの色覚の違いに対応して、ユーザー毎にとっての視認性に優れた色調で表示を行うことが可能になる。
【００８６】
また、公共の場における表示物である情報表示装置１に対して、ユーザー個人の色覚特性を反映させたいと思うかどうかは、そのユーザー個人の考え方次第である。例えば、情報表示装置１の表示部１１０による表示についてデフォルトの色調設定が、一般色覚者向けの色調表示のときに、非一般色覚者が自分の色覚特性を反映させたいと考えるかどうかは個人次第であり、また、ユニバーサル対応の色調表示のときに一般色覚者が自分の色覚特性を反映させたいと考えるかどうかは個人次第である。
【００８７】
しかしながら、本実施形態によれば、ログインユーザーは、自身の意思に応じて、自己の色覚情報に応じて表示部１１０の画面表示の色調を変更させるか否かを調整することが可能になる。また、ログインユーザーが複数の場合には、ログインユーザーは、自己の色覚情報に応じて表示部１１０の画面表示の色調を変更させるか否かを調整できると共に、色調変換部により、ログインユーザー全員の色覚情報及びポリシーを考慮して、表示部１１０の画面表示の色調を各ログインユーザーの意向に沿ったものにすることも可能になる。
【００８８】
また、本実施形態では、情報表示装置１への非ログインユーザーがいる場合、その者を色覚特性が未登録のログインユーザーとみなすことで、例えば、ログインユーザーがポリシー「独りのときだけ反映させたい」を有しているとき、色調変換部１０４は、当該非ログインユーザーの存在をふまえた上で、当該ポリシー「独りのときだけ反映させたい」に基づいて、当該ログインユーザーの色覚情報に対応付けられている色調を、情報表示装置１の表示部１１０による表示に反映させるか否かを決定することができる。すなわち、ログインユーザーが存在しなくても、非ログインユーザーがいる場合には、当該ログインユーザーの色覚情報に対応付けられている色調を上記表示部１１０による表示に反映させないようにすることで、ポリシー「独りのときだけ反映させたい」を有するログインユーザーの意思を的確に実現することが可能になる。
【００８９】
なお、情報表示装置１が、これに連動して動作する画像形成装置を備える場合には、当該画像形成装置によりクーポン券の印刷等を行う場合にも、当該印刷の対象となる画像データについて上記色覚情報に応じた色調変更を色調変換部１０４が行い、これを画像形成装置内の画像形成部に出力して画像形成させることで、視認者としての各ユーザーの色覚の違いに対応して、ユーザー毎にとって視認性に優れた配色で印刷することが可能である。
【００９０】
なお、本発明は上記実施の形態の構成に限られず種々の変形が可能である。例えば、上記実施形態では、認証サーバー２０１がユーザー認証を行い、情報サーバー２０２がユーザーアカウント情報を有して情報表示装置１に送信するものとしているが、情報表示装置１が、認証サーバー２０１と同様のユーザー認証処理を行う認証部と、情報サーバー２０２と同様に、色覚情報を含むユーザーアカウント情報を記憶及び管理する色覚情報記憶部とを制御ユニット１０に備え、情報表示装置１において、ユーザー認証及び色覚情報の取得を行うものとしてもよい。これらが上記色変換プログラムに従った制御ユーザーユニット１０の動作又はハード回路のいずれにより構成されても構わないことは上記と同様である。
【００９１】
また、図１乃至図４を用いて上記実施形態により示した構成及び処理は、本発明の一実施形態に過ぎず、本発明を当該構成及び処理に限定する趣旨ではない。
【符号の説明】
【００９２】
１        情報表示装置
１０      制御ユニット
１００    制御部
１０１    ログイン処理部
１０２    色覚情報取得部
１０３    ポリシー取得部
１０４    色調変換部
１１０    表示部
１３０    人数検出部
【図１】
2014078893.tif 000003
【図２】
2014078893.tif 000004
【図３】
2014078893.tif 000005
【図４】
2014078893.tif 000006